(57)【要約】【課題】電気掃除機において、サーモプロテクタ動作時に、使用者が電源プラグを抜き、その栓刃に触れた場合に、電気ショックを受けることがあった。【解決手段】１つの界磁巻線（ステータ巻線）３の外側に、ステータが異常な温度に達したとき、電流を遮断するサーモプロテクタ（温度過昇防止装置）５を直列に接続し、界磁巻線３とサーモプロテクタ５の間に中間端子１９を備えた電動送風機１と、電動送風機１が発する電気雑音を低減するための雑音防止用コンデンサ６と、雑音防止用コンデンサ６より電源側に設けられた、電動送風機１への電力を入切するための機械式スイッチ７とを備え、雑音防止用コンデンサ６の一端を、中間端子１９に接続し、他端は電機子（ロータ）２を挟んだ電動送風機１の他の端子に接続したもので、サーモプロテクタ５動作時、電源プラグの栓刃に触れても、電気ショックを受けることがない電気掃除機を提供できる。【選択図】図３
2010252958.tif 000002
【特許請求の範囲】
【請求項１】
ファンと、ロータおよびステータを有し、１つのステータ巻線の外側に、ステータが異常な温度に達したとき、前記ロータまたはステータへの電流を遮断する温度過昇防止装置を直列に接続して一体に構成し、前記ステータ巻線と温度過昇防止装置の間に中間端子を備えてなる電動送風機と、電動送風機が発する電気雑音を低減するための雑音防止用コンデンサと、前記雑音防止用コンデンサより電源側に、前記電動送風機への電力を入り切りするための機械式スイッチとを備え、前記雑音防止コンデンサの一端を、前記中間端子に接続し、他端はロータを挟んだ電動送風機の他の端子に接続して構成した電気掃除機。
【発明の詳細な説明】
【技術分野】
【０００１】
本発明は、電動送風機に用いられるサーモプロテクタと、前記電動送風機の電気雑音を低減する雑音防止用コンデンサを備えた電気掃除機に関するものである。
【背景技術】
【０００２】
従来の技術で用いられる電動送風機ならびに、電気掃除機の構成について、図４〜６を用いて説明する。図４は従来の電気掃除機の外観図であり、図５は電気掃除機本体の断面図、図６は、その電気掃除機の回路図である。電気掃除機本体１５の前方には、集塵室１７、後方には、モータ室１８があり、モータ室１８には、吸引力を発生する電動送風機１が配され、前方の集塵室１７には、集塵袋９が備えられている。電気掃除機本体１５の外側前方には、ホース１１、延長管１２、ノズル１３が備えられている。電気掃除機本体１５には、この他、機械式スイッチ７、コード１０、コードを巻き取るコードリール２０、そして、集塵が満杯になったときなどに、電動送風機１の発熱による焼け等を防止するための、圧力開閉弁１４が備えられている。
【０００３】
また、回路図６において、電動送風機１の内部は、電機子２、界磁巻線３、界磁巻線３から電機子２へ電力を供給するカーボンブラシ４、および片側の界磁巻線３の外側には、サーモプロテクタ（温度過昇防止装置）５からなり、その両端に端子８が構成されている。そして、その電動送風機１と並列に、雑音防止用コンデンサ６が備えられ、その外側に機械式スイッチ７が直列に接続されている。そのあと、コード１０（図示せず）、電源プラグ１６（図示せず）を介して、商用電源に接続される。
【０００４】
以上のように構成された電気掃除機において、動作を説明する。電源プラグ１６を商用電源（コンセント）に差込み、機械式スイッチ７をＯＮにすると、電動送風機１および雑音防止用コンデンサ６に電流が流れ、電機子２が回転する。それにより、吸引力が発生し、塵埃が空気流とともに、ノズル１３、延長管１２、ホース１１をとおり、電気掃除機本体１５へと導かれる。電気掃除機本体１５に達した塵埃は、集塵袋９によりこしとられ、空気流のみが、電動送風機１へと導かれる。その後、空気流は、電動送風機１内部の電機子２、界磁巻線３、カーボンブラシ４等を冷却し、電気掃除機本体１５の後部から排出される。雑音防止用コンデンサ６は電気掃除機動作時、電動送風機１より発せられる電機雑音を抑える効果を持つ。
【０００５】
さらに、塵埃が継続的に吸い込まれ、集塵袋９が満杯になると、集塵室１７内の真空圧が高くなり、圧力開閉弁１４が作動し、外気が集塵室１７内に入り込む。これにより、電動送風機１には、冷却風が入り込むため、電動送風機１は冷却される。さらにその状態が継続すると、電動送風機１の温度は上昇し、今度は、サーモプロテクタ５が作動し、電動送風機１への給電が強制的に遮断され、電気掃除機の安全が保たれるように設計されている。ところが、サーモプロテクタ動作時、使用者が電気掃除機の電源プラグ１６を抜き、不意にプラグ１６の両方の栓刃に触れた場合、雑音防止用コンデンサ６に蓄えられた電荷により、電気ショックを受ける可能性があった（例えば、特許文献１参照）。
【先行技術文献】
【特許文献】
【０００６】
【特許文献１】特開平４−３１７６１７号公報
【発明の概要】
【発明が解決しようとする課題】
【０００７】
本発明は、上記従来例の課題点を鑑み、サーモプロテクタを備えた電動送風機を持つ電気掃除機において、サーモプロテクタ動作時に、使用者が電源プラグを抜き、その栓刃に触れた場合に、電気ショックを受けることのない、使用者にやさしい電気掃除機を提供することを目的とする。
【課題を解決するための手段】
【０００８】
前記従来の課題を解決するために、本発明の電気掃除機は、ファンと、ロータおよびステータを有し、１つのステータ巻線の外側に、ステータが異常な温度に達したとき、前記ロータまたはステータへの電流を遮断する温度過昇防止装置を直列に接続して一体に構成し、前記ステータ巻線と温度過昇防止装置の間に中間端子を備えてなる電動送風機と、電動送風機が発する電気雑音を低減するための雑音防止用コンデンサと、前記雑音防止用コンデンサより電源側に、前記電動送風機への電力を入り切りするための機械式スイッチを備え、前記雑音防止コンデンサの一端を、前記中間端子に接続し、他端はロータを挟んだ電動送風機の他の端子に接続して構成したので、サーモプロテクタ動作時、雑音防止用コンデンサの両端の電位が電源プラグの栓刃に現れることはなく、使用者が安心して使用できる電機掃除機を提供できる。
【発明の効果】
【０００９】
本発明によれば、温度過昇防止装置が動作中の限られた条件における使用者の感電を防止する、より安心な電気掃除機を提供できる。
【図面の簡単な説明】
【００１０】
【図１】本発明の第１の実施の形態を示す電気掃除機の外観図
【図２】同、電気掃除機本体の断面図
【図３】同、電気掃除機の回路図
【図４】従来の電気掃除機の外観図
【図５】従来の電気掃除機の断面図
【図６】従来の電気掃除機の回路図
【発明を実施するための形態】
【００１１】
第１の発明は、ファンと、ロータおよびステータを有し、１つのステータ巻線の外側に、ステータが異常な温度に達したとき、前記ロータまたはステータへの電流を遮断する温度過昇防止装置を直列に接続して一体に構成し、前記ステータ巻線と温度過昇防止装置の間に中間端子を備えてなる電動送風機と、電動送風機が発する電気雑音を低減するための雑音防止用コンデンサと、前記雑音防止用コンデンサより電源側に、前記電動送風機への電力を入り切りするための機械式スイッチを備え、前記雑音防止コンデンサの一端を、前記中間端子に接続し、他端はロータを挟んだ電動送風機の他の端子に接続して構成したので、サーモプロテクタ動作時、雑音防止用コンデンサの両端の電位が電源プラグの栓刃に現れることはなく、使用者が安心して使用できる電機掃除機を提供できる。
【００１２】
以下、本発明の実施の形態について、図面を参照しながら説明する。なお、この実施の形態によって本発明が限定されるものではない。
【００１３】
（実施の形態１）
本発明の第１の実施の形態を、図１〜図３を用いて説明する。なお従来例と同一構成部品については同一符号を付して、その説明を省略する。
【００１４】
図１は本発明の第１の実施の形態における、電気掃除機の外観図、図２は、同、電気掃除機本体の断面図、図３は同、電気掃除機の回路図である。
【００１５】
図３において、電気掃除機に一般的に用いられる整流子モータを例にして説明すると、電動送風機１の内部は、電機子（ロータ）２、界磁巻線（ステータ巻線）３、界磁巻線３から電機子２へ電力を供給するカーボンブラシ４、および片側の界磁巻線３の外側には、サーモプロテクタ（温度過昇防止装置）からなり、その両端に端子８Ａ、８Ｂが構成されている。また、片方の界磁巻線３と、サーモプロテクタ５の間には、中間端子１９が備えられ、雑音防止用コンデンサ６の一端が接続されている。雑音防止用コンデンサ６の他端は、電機子２を挟んだ８Ａと同極の部分に接続されている。そして、その外側（電源側）に機械式スイッチ７が直列に接続されている。そのあと、コード１０（図示せず）、電源プラグ１６（図示せず）を介して、商用電源に接続される。
【００１６】
以上のように構成された電気掃除機において、動作を説明する。電源プラグ１６を商用電源（コンセント）に差込み、機械式スイッチ７をＯＮにすると、電動送風機１および雑音防止用コンデンサ６に電流が流れ、電機子２が回転する。それにより、吸引力が発生し、塵埃が空気流とともに、ノズル１３、延長管１２、ホース１１をとおり、電気掃除機本体１５へと導かれる。電気掃除機本体１５に達した塵埃は、集塵袋９によりこしとられ、空気流のみが、電動送風機１へと導かれる。その後、空気流は、電動送風機１内部の電機子２、界磁巻線３、カーボンブラシ４等を冷却し、電気掃除機本体１５の後部から排出される。雑音防止用コンデンサ６は電気掃除機動作時、電動送風機１より発せられる電機雑音を抑える効果を持つ。
【００１７】
さらに、塵埃が継続的に吸い込まれ、集塵袋９が満杯になると、集塵室１７内の真空圧が高くなり、圧力開閉弁１４が作動し、外気が集塵室１７内に入り込む。これにより、電動送風機１には、冷却風が入り込むため、電動送風機１は冷却される。さらにその状態が継続すると、電動送風機１の温度は上昇し、今度は、サーモプロテクタ５が作動し、電動送風機１への給電が強制的に遮断され、電気掃除機の安全が保たれるように設計されている。サーモプロテクタ動作時、使用者が電気掃除機の電源プラグ１６を抜き、不意にプラグ１６の両方の栓刃に触れたとしても、雑音防止用コンデンサ６に蓄えられた電位は、サーモプロテクタ５が動作した時点で、電源プラグ１６の栓刃に現れることはなく、電気ショックを受けることはない。
【００１８】
なお、このような回路構成は、サーモプロテクタ５を、電動送風機１内部から切り離し、電動送風機１の外に単独で取り付けても実現できるものであるが、サーモプロテクタ５は電動送風機１の熱源である巻線部、もしくはできるだけ巻線部近傍に取り付けることにより、熱応答性をよくできるという利点がある。よって、本発明は、サーモプロテクタ５を電動送風機内部に具備したものに対して、感電に対する安全性をも兼ね備えた電気掃除機を提供するものとなっている。
【００１９】
また、本発明は、電源電圧の高い（２００Ｖ系）地域向けの掃除機に対して、より大きな安全性能を提供できるものである。
【００２０】
このように本実施の形態によれば、サーモプロテクタ動作時の使用者の感電を防止できる、使用者にやさしい電機掃除機を提供できるものである。
【産業上の利用可能性】
【００２１】
以上のように、本発明にかかる電気掃除機は、安全装置動作時の安全性の向上が図れるので、電動送風機を用いる家庭用電化機器、産業機器等の用途にも幅広く適用できる。
【符号の説明】
【００２２】
１  電動送風機
２  電機子（ロータ）
３  界磁巻線（ステータ巻線）
４  カーボンブラシ
５  サーモプロテクタ（温度過昇防止装置）
６  雑音防止用コンデンサ
７  機械式スイッチ
８Ａ  端子
８Ｂ  端子
９  集塵袋
１０  コード
１１  ホース
１２  延長管
１３  ノズル
１４  圧力開閉弁
１５  電気掃除機本体
１６  電源プラグ
１７  集塵室
１８  モータ室
１９  中間端子
２０  コードリール
【図１】
2010252958.tif 000003
【図２】
2010252958.tif 000004
【図３】
2010252958.tif 000005
【図４】
2010252958.tif 000006
【図５】
2010252958.tif 000007
【図６】
2010252958.tif 000008